【手続補正書】
【提出日】平成19年10月26日(2007.10.26)
【手続補正１】
【補正対象書類名】明細書
【補正対象項目名】特許請求の範囲
【補正方法】変更
【補正の内容】
【特許請求の範囲】
【請求項１】
第１および第２のコンソールと、ミキシング処理を実行するエンジンとをケーブルにより接続することによって構成されるミキシングシステムであって、
前記第１および第２のコンソールに各々設けられ、現在の設定状態を示す、複数のパラメータからなる制御データを記憶するカレント記憶手段と、
前記第１および第２のコンソールのうち任意の一方において前記複数のパラメータのうちの１つのパラメータを変更する操作が発生すると、当該一方のコンソールから他方のコンソールに対して該操作を示す変更操作イベントを送信するとともに、当該一方のコンソール内のカレント記憶手段に記憶された該パラメータの値を変更する第１の変更手段と、
前記送信された変更操作イベントが前記他方のコンソールにおいて受信されると、該変更操作イベントに従って、該他方のコンソール内のカレント記憶手段に記憶された該パラメータの値を変更する第２の変更手段と、
前記第２のコンソールにおけるカレント記憶手段の内容にかかわらず、前記第１のコンソールにおけるカレント記憶手段に記憶された制御データに基づいて前記エンジンのミキシング処理を制御するミキシング制御手段と、
前記第１および第２のコンソールの接続時において、前記第１および第２のコンソールに記憶された制御データに不整合部分があるか否かを判定する接続時判定手段と
前記接続時判定手段において不整合部分があると判定されたことを条件として、その旨を報知する報知手段と
を有することを特徴とするミキシングシステム。
【請求項２】
前記報知手段は、前記第１および第２のコンソールに記憶された制御データを整合させるか否かを確認する画面を表示するものであり、
整合すべき指示のあった箇所について、前記第１のコンソールに記憶されたパラメータの値を前記第２のコンソール内のカレント記憶手段に書き込む接続時書込み手段
をさらに有することを特徴とする請求項１記載のミキシングシステム。
【請求項３】
第１および第２のコンソールと、ミキシング処理を実行するエンジンとをケーブルにより接続することによって構成されるミキシングシステムであって、
前記第１および第２のコンソールに各々設けられ、現在の設定状態を示す、複数のパラメータからなる制御データを記憶するカレント記憶手段と、
前記第１および第２のコンソールのうち任意の一方において前記パラメータのうちの１つのパラメータを変更する操作が発生すると、当該一方のコンソールから他方のコンソールに対して該操作を示す変更操作イベントを送信するとともに、当該一方のコンソールのカレント記憶手段に記憶された該パラメータの値を変更する第１の変更手段と、
前記送信された変更操作イベントが前記他方のコンソールにおいて受信されると、該変更操作イベントに従って、該他方のコンソールのカレント記憶手段に記憶された該パラメータの値を変更する第２の変更手段と、
前記第２のコンソールにおけるカレント記憶手段の内容にかかわらず、前記第１のコンソールにおけるカレント記憶手段に記憶された制御データに基づいて前記エンジンのミキシング処理を制御するミキシング制御手段と、
所定の指示操作に応じて、前記第１および第２のコンソールに記憶された制御データに不整合部分があるか否かを判定する操作時判定手段と、
前記操作時判定手段によって判定された整合部分および不整合部分を結果表示画面上に表示する表示手段と、
前記結果表示画面上の操作に基づいて、整合すべき指示のあったパラメータについて、前記第２のコンソールのカレント記憶手段に記憶されていた対応するパラメータの値に代えて、前記第１のコンソールに記憶されたパラメータの値を書き込む操作時書込み手段と、
を有することを特徴とするミキシングシステム。
【請求項４】
第１および第２のコンソールと、ミキシング処理を実行するエンジンとをケーブルにより接続することによって構成されるミキシングシステムであって、
前記第１および第２のコンソールに各々設けられ、現在の設定状態を示す、複数のパラメータからなる制御データを記憶するカレント記憶手段と、
前記第１および第２のコンソールに各々設けられ、前記制御データをシーンデータとして複数記憶するシーンデータ記憶手段と、
前記第１および第２のコンソールのうち任意の一方において前記パラメータのうちの１つのパラメータを変更する操作が発生すると、当該一方のコンソールから他方のコンソールに対して該操作を示す変更操作イベントを送信するとともに、当該一方のコンソールのカレント記憶手段に記憶された、該パラメータの値を変更する第１の変更手段と、
前記送信された変更操作イベントが前記他方のコンソールにおいて受信されると、該変更操作イベントに従って、該他方のコンソールのカレント記憶手段に記憶された、該パラメータの値を変更する第２の変更手段と、
前記第１および第２のコンソールのうち任意の一方において前記シーンデータのリコールを指示する操作が行われると、当該一方のコンソールから他方のコンソールに対して該操作を示すリコール操作イベントを送信するとともに、当該一方のコンソールにおいて、前記シーンデータ記憶手段の記憶する複数の制御データのうち前記操作によって指示された制御データを、該一方のコンソールのカレント記憶手段にコピーする第１の更新手段と、
前記送信されたリコール操作イベントが前記他方のコンソールにおいて受信されると、前記他方のコンソールにおいて、前記シーンデータ記憶手段の記憶する複数の制御データのうち前記操作によって指示された制御データを、該他方のコンソールのカレント記憶手段にコピーする第２の更新手段と、
前記第２のコンソールにおけるカレント記憶手段の内容にかかわらず、前記第１のコンソールにおけるカレント記憶手段に記憶された制御データに基づいて前記エンジンのミキシング処理を制御するミキシング制御手段と
を有することを特徴とするミキシングシステム。
【請求項５】
前記第２の更新手段によって、前記他方のコンソールのシーンデータ記憶手段から前記他方のコンソールのカレント記憶手段に前記制御データをコピーしようとする際に、該他方のコンソールにおけるカレント記憶手段の記憶する制御データと、コピーしようとする制御データとに整合性があるか否かを判定するコピー時判定手段と、
該コピー時判定手段において整合性が無いと判定されると、前記他方のコンソールが前記第１または第２のコンソールの何れであるかにかかわらず、少なくとも前記第２のコンソールにおいて警告表示を行う警告手段と
をさらに具備することを特徴とする請求項４記載のミキシングシステム。
【手続補正２】
【補正対象書類名】明細書
【補正対象項目名】０００１
【補正方法】変更
【補正の内容】
【０００１】
【発明の属する技術分野】
本発明は、大規模なミキシング処理に用いて好適なミキシングシステムに関する。
【手続補正３】
【補正対象書類名】明細書
【補正対象項目名】０００５
【補正方法】変更
【補正の内容】
【０００５】
【発明が解決しようとする課題】
ところで、本出願人は１台のエンジンに対して２台のコンソールを接続することによって操作性を向上させるデュアルコンソールシステムを提案している（特願２００１−２８５９８１、未公開）。
この出願内容によれば、２台のコンソールのうちの何れかにおいて操作イベントが発生すると、その内容が他方のコンソールに伝送される。これにより、相互に操作イベントが交換され、２台のコンソール間において、共通の操作データ（操作状態）が共有される。しかし、シーンリコール等、一度に多量の送信データが発生する操作イベントが発生すると、該データの伝送遅延のために２台のコンソール間における動作タイミングがずれるという問題が生じる。一方、２台のコンソール間に充分に高速な通信路を確保すると動作タイミングのずれは緩和されるが、コストアップにつながるという問題がある。
この発明は上述した事情に鑑みてなされたものであり、安価な構成で複数のコンソール間のデータの伝送遅延に起因する動作タイミングのずれを低減させることのできるミキシングシステムを提供することを目的としている。
【手続補正４】
【補正対象書類名】明細書
【補正対象項目名】０００６
【補正方法】変更
【補正の内容】
【０００６】
【課題を解決するための手段】
上記課題を解決するため本発明にあっては、下記構成を具備することを特徴とする。なお、括弧内は例示である。
請求項１記載のミキシングシステムにあっては、第１および第２のコンソール（１００Ａ，１００Ｂ）と、ミキシング処理を実行するエンジン（２００Ｅ）とをケーブルにより接続することによって構成されるミキシングシステムであって、前記第１および第２のコンソールに各々設けられ、現在の設定状態を示す、複数のパラメータからなる制御データを記憶するカレント記憶手段（１２２ａ）と、前記第１および第２のコンソール（１００Ａ，１００Ｂ）のうち任意の一方において前記複数のパラメータのうちの１つのパラメータを変更する操作が発生すると、当該一方のコンソールから他方のコンソールに対して該操作を示す変更操作イベントを送信するとともに、当該一方のコンソール内のカレント記憶手段（１２２ａ）に記憶された該パラメータの値を変更する第１の変更手段（ＳＰ１５４，ＳＰ１５６）と、前記送信された変更操作イベントが前記他方のコンソールにおいて受信されると、該変更操作イベントに従って、該他方のコンソール内のカレント記憶手段（１２２ａ）に記憶された該パラメータの値を変更する第２の変更手段（ＳＰ１６６）と、前記第２のコンソールにおけるカレント記憶手段の内容にかかわらず、前記第１のコンソールにおけるカレント記憶手段に記憶された制御データに基づいて前記エンジンのミキシング処理を制御するミキシング制御手段（ＳＰ１８２）と、前記第１および第２のコンソール（１００Ａ，１００Ｂ）の接続時において、前記第１および第２のコンソールに記憶された制御データに不整合部分があるか否かを判定する接続時判定手段（ＳＰ１１７，ＳＰ１１８）と前記接続時判定手段において不整合部分があると判定されたことを条件として、その旨を報知する報知手段とを有することを特徴とする。
さらに、請求項２記載の構成にあっては、請求項１記載のミキシングシステムにおいて、前記報知手段は、前記第１および第２のコンソールに記憶された制御データを整合させるか否かを確認する画面を表示するものであり、整合すべき指示のあった箇所について、前記第１のコンソールに記憶されたパラメータの値を前記第２のコンソール内のカレント記憶手段（１２２ａ）に書き込む接続時書込み手段（ＳＰ１２０）をさらに有することを特徴とする。
また、請求項３記載のミキシングシステムにあっては、第１および第２のコンソール（１００Ａ，１００Ｂ）と、ミキシング処理を実行するエンジン（２００Ｅ）とをケーブルにより接続することによって構成されるミキシングシステムであって、前記第１および第２のコンソールに各々設けられ、現在の設定状態を示す、複数のパラメータからなる制御データを記憶するカレント記憶手段（１２２ａ）と、前記第１および第２のコンソール（１００Ａ，１００Ｂ）のうち任意の一方において前記パラメータのうちの１つのパラメータを変更する操作が発生すると、当該一方のコンソールから他方のコンソールに対して該操作を示す変更操作イベントを送信するとともに、当該一方のコンソールのカレント記憶手段（１２２ａ）に記憶された該パラメータの値を変更する第１の変更手段（ＳＰ１５４，ＳＰ１５６）と、前記送信された変更操作イベントが前記他方のコンソールにおいて受信されると、該変更操作イベントに従って、該他方のコンソールのカレント記憶手段（１２２ａ）に記憶された該パラメータの値を変更する第２の変更手段（ＳＰ１６６）と、前記第２のコンソールにおけるカレント記憶手段の内容にかかわらず、前記第１のコンソールにおけるカレント記憶手段に記憶された制御データに基づいて前記エンジンのミキシング処理を制御するミキシング制御手段（ＳＰ１８２）と、所定の指示操作に応じて、前記第１および第２のコンソールに記憶された制御データに不整合部分があるか否かを判定する操作時判定手段（ＳＰ１７０〜ＳＰ１７４）と、前記操作時判定手段によって判定された整合部分および不整合部分を結果表示画面上に表示する表示手段（図１４）と、前記結果表示画面上の操作に基づいて、整合すべき指示のあったパラメータについて、前記第２のコンソールのカレント記憶手段（１２２ａ）に記憶されていた対応するパラメータの値に代えて、前記第１のコンソールに記憶されたパラメータの値を書き込む操作時書込み手段（段落０１６４）と、を有することを特徴とする。
また、請求項４記載のミキシングシステムにあっては、第１および第２のコンソール（１００Ａ，１００Ｂ）と、ミキシング処理を実行するエンジン（２００Ｅ）とをケーブルにより接続することによって構成されるミキシングシステムであって、前記第１および第２のコンソールに各々設けられ、現在の設定状態を示す、複数のパラメータからなる制御データを記憶するカレント記憶手段（１２２ａ）と、前記第１および第２のコンソールに各々設けられ、前記制御データをシーンデータとして複数記憶するシーンデータ記憶手段（１２２ｂ）と、前記第１および第２のコンソール（１００Ａ，１００Ｂ）のうち任意の一方において前記パラメータのうちの１つのパラメータを変更する操作が発生すると、当該一方のコンソールから他方のコンソールに対して該操作を示す変更操作イベントを送信するとともに、当該一方のコンソールのカレント記憶手段（１２２ａ）に記憶された、該パラメータの値を変更する第１の変更手段（ＳＰ１５４，ＳＰ１５６）と、前記送信された変更操作イベントが前記他方のコンソールにおいて受信されると、該変更操作イベントに従って、該他方のコンソールのカレント記憶手段（１２２ａ）に記憶された、該パラメータの値を変更する第２の変更手段（ＳＰ１６６）と、前記第１および第２のコンソールのうち任意の一方において前記シーンデータのリコールを指示する操作が行われると、当該一方のコンソールから他方のコンソールに対して該操作を示すリコール操作イベントを送信するとともに、当該一方のコンソールにおいて、前記シーンデータ記憶手段（１２２ｂ）の記憶する複数の制御データのうち前記操作によって指示された制御データを、該一方のコンソールのカレント記憶手段（１２２ａ）にコピーする第１の更新手段（ＳＰ１５４，ＳＰ１５６）と、前記送信されたリコール操作イベントが前記他方のコンソールにおいて受信されると、前記他方のコンソールにおいて、前記シーンデータ記憶手段（１２２ｂ）の記憶する複数の制御データのうち前記操作によって指示された制御データを、該他方のコンソールのカレント記憶手段（１２２ａ）にコピーする第２の更新手段（ＳＰ１６６）と、前記第２のコンソールにおけるカレント記憶手段の内容にかかわらず、前記第１のコンソールにおけるカレント記憶手段に記憶された制御データに基づいて前記エンジンのミキシング処理を制御するミキシング制御手段（ＳＰ１８２）とを有することを特徴とする。
さらに、請求項５記載の構成にあっては、請求項４記載のミキシングシステムにおいて、前記第２の更新手段によって、前記他方のコンソールのシーンデータ記憶手段（１２２ｂ）から前記他方のコンソールのカレント記憶手段に前記制御データをコピーしようとする際に、該他方のコンソールにおけるカレント記憶手段の記憶する制御データと、コピーしようとする制御データとに整合性があるか否かを判定するコピー時判定手段（ＳＰ１６２，ＳＰ１６４）と、該コピー時判定手段において整合性が無いと判定されると、前記他方のコンソールが前記第１または第２のコンソールの何れであるかにかかわらず、少なくとも前記第２のコンソールにおいて警告表示を行う警告手段（ＳＰ１６８）とをさらに具備することを特徴とする。
【手続補正５】
【補正対象書類名】明細書
【補正対象項目名】０１０７
【補正方法】変更
【補正の内容】
【０１０７】
3．1．2．シーンリコール処理
何れかのコンソールにおいてシーンリコール操作が実行されると、コンソールにおいて、図１０(a)に示すシーンリコールイベント処理ルーチンが起動される。なお、ここでは、シーンリコール操作が生じたカスケードグループがシングルコンソールシステムである場合の動作について説明する。
【手続補正６】
【補正対象書類名】明細書
【補正対象項目名】０１１１
【補正方法】変更
【補正の内容】
【０１１１】
次に、処理がステップＳＰ２４０に進むと、コンソール１００Ａ内においてシーン領域１２２ｂ内のシーン番号ＳＮの内容が新たなカレント操作データとしてカレント領域１２２ａにコピーされる。次に処理がステップＳＰ２４４に進むと、相手側グループのコンソール１００Ｃ，１００Ｄの双方から「リコール可能応答」を受信し、またはタイムアウトが発生したか（ステップＳＰ２４０の終了後に所定時間が経過したか）か否かが判定される。ここで「ＮＯ」と判定されると、ステップＳＰ２４４の処理が繰り返される。
【手続補正７】
【補正対象書類名】明細書
【補正対象項目名】０１５９
【補正方法】変更
【補正の内容】
【０１５９】
次に処理がステップＳＰ１７６に進むと、変数ｉは最大値ｉ_MAX未満であるか否かが判定される。ここで「ＹＥＳ」と判定されると、ステップＳＰ１７８において変数ｉが「１」だけインクリメントされる。以下、変数ｉが最大値ｉ_MAXに達するまで、各データについてステップＳＰ１７２，ＳＰ１７４の処理が繰り返される。ステップＳＰ１７６において「ＮＯ」と判定され本ルーチンの処理が終了すると、ベリファイ／コピー画面（図１４）は最新の情報に基づいて更新されていることになる。